【事件の表示】
　特許第３２２３１７４号「電話機」の請求項１ないし３に係る特許に対する特許異議の申立てについて、次のとおり決定する。
【結　論】
　訂正を認める。
　特許第３２２３１７４号の請求項１、２、３に係る特許を維持する。
【理　由】
　
１．手続の経緯
  本件特許第3223174号の請求項１〜３に係る発明についての出願は、平成11年３月31日に特許出願され、平成13年８月17日にその発明について特許権の設定登録がなされ、その後、その特許について、異議申立人松本一也より特許異議の申立てがなされ、取消しの理由が通知され、その指定期間内である平成14年９月17日に訂正請求がなされるとともに異議意見書が提出されたものである。
　
２．訂正の適否について
　
〔2-1〕訂正の内容
　特許権者が求めている訂正の内容は、次のとおりである。
（１）訂正事項ａ
　特許請求の範囲の請求項１〜４の
「【請求項１】　漢字入力モードを有する電話機であって、
　仮名文字列と、これに対応する漢字列の組を複数登録した漢字辞書と、
　前記漢字入力モードで、ユーザから、50音の何れかの行を表す行情報を複数受け付ける受付手段と、
　受け付けられた行情報によって表される行に含まれる文字群を行情報の並びに従い組み合わせた仮名文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段と
　を備えることを特徴とする電話機。
【請求項２】　漢字入力モードを有する電話機であって、
　仮名文字列と、これに対応する漢字列の組を複数登録した漢字辞書と、
　前記漢字入力モードで、ユーザから、50音の行を表す数字が割り当てられた数字キーの押下回数によって特定される、入力すべき漢字列の最初の読みである仮名文字を受け付ける第１受付手段と、
　前記漢字入力モードで、ユーザから、50音の何れかの行を表す行情報を受け付ける第２受付手段と、
　前記漢字辞書から、第１受付手段で受け付けられた仮名文字と、第２受付手段で受け付けられた行情報によって表される行に含まれる文字群を行情報の並びに従い組み合わせた仮名文字列とを連結した連結文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段と
　を備えることを特徴とする電話機。
【請求項３】　漢字入力モードを有する電話機であって、
　数字キーに割り当てられた50音の行を表す数字によって構成された数字列に、仮名文字列と漢字列とを対応付けて登録した漢字辞書と、
　前記漢字入力モードで、ユーザから、数字キーに割り当てられた50音の行を表す数字を受け付ける受付手段と、
　受け付けられた数字列に一致する仮名文字列を前記漢字辞書から検索し、検索された仮名文字列により漢字列を特定する検索特定手段と、
　特定された漢字列を表示する表示制御手段と、
　表示された漢字列から入力すべき漢字列の選択を受け付け、漢字列を決定する漢字列決定手段と
　を備えることを特徴とする電話機。
【請求項４】　ユーザから、登録すべき漢字列の一部又は全部の読みである仮名文字列を受け付ける漢字読み受付手段と、
　受け付けた仮名文字列に対応する漢字列を、前記漢字辞書から検索して表示する漢字表示制御手段と、
　表示された漢字列から一部又は全部の漢字の選択を受け付ける漢字選択手段と、
　選択された漢字に対応する登録すべき仮名文字列が、前記漢字読み受付手段で受け付けた仮名文字列と異なるとき、前記受け付けた仮名文字列に代えて正しい読みの仮名文字列を受け付ける正解読み受付手段と、
　前記正解読み受付手段で受け付けた仮名文字列と前記選択された漢字とを、前記漢字辞書に登録する登録手段とを備える漢字登録モードを有することを特徴とする請求項１、請求項２又は請求項３記載の電話機。」
を、
「【請求項１】　漢字入力モードを有する電話機であって、
　仮名文字列と、これに対応する漢字列の組を行番コードの順に並べ、複数登録した漢字辞書と、
　前記漢字入力モードで、ユーザから、50音の何れかの行を表す行情報を複数受け付ける受付手段と、
　受け付けられた行情報によって表される行に含まれる文字群を行情報の並びに従い組み合わせた仮名文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段と
　を備えることを特徴とする電話機。
【請求項２】　漢字入力モードを有する電話機であって、
　仮名文字列と、これに対応する漢字列の組を複数登録した漢字辞書と、
　前記漢字入力モードで、ユーザから、50音の行を表す数字が割り当てられた数字キーの押下回数と、移動キーの押下によって特定される、入力すべき漢字列の最初の読みである仮名文字を受け付ける第１受付手段と、
　前記漢字入力モードで、ユーザから、50音の何れかの行を表す行情報を受け付ける第２受付手段と、
　前記漢字辞書から、第１受付手段で受け付けられた仮名文字と、第２受付手段で受け付けられた行情報によって表される行に含まれる文字群を行情報の並びに従い組み合わせた仮名文字列とを連結した連結文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段と
　を備えることを特徴とする電話機。
【請求項３】　漢字入力モードを有する電話機であって、
　数字キーに割り当てられた50音の行を表す数字によって構成された数字列に、仮名文字列と漢字列とを対応付け、数字列の順に登録されている漢字辞書と、
　前記漢字入力モードで、ユーザから、数字キーに割り当てられた50音の行を表す数字を受け付ける受付手段と、
　受け付けられた数字列に一致する仮名文字列を前記漢字辞書から検索し、検索された仮名文字列により漢字列を特定する検索特定手段と、
　特定された漢字列を表示する表示制御手段と、
　表示された漢字列から入力すべき漢字列の選択を受け付け、漢字列を決定する漢字列決定手段と
　を備えることを特徴とする電話機。
【請求項４】　漢字入力モードを有する電話機であって、
　仮名文字列と、これに対応する漢字列の組を複数登録した漢字辞書と、
　前記漢字入力モードで、ユーザから、50音の何れかの行を表す行情報を複数受け付ける受付手段と、
　受け付けられた行情報によって表される行に含まれる文字群を行情報の並びに従い組み合わせた仮名文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段とを備え、
　さらに、ユーザから、登録すべき漢字列の一部又は全部の読みである仮名文字列を受け付ける漢字読み受付手段と、
　受け付けた仮名文字列に対応する漢字列を、前記漢字辞書から検索して表示する漢字表示制御手段と、
　表示された漢字列から一部又は全部の漢字の選択を受け付ける漢字選択手段と、
　選択された漢字に対応する登録すべき仮名文字列が、前記漢字読み受付手段で受け付けた仮名文字列と異なるとき、前記受け付けた仮名文字列に代えて正しい読みの仮名文字列を受け付ける正解読み受付手段と、
　前記正解読み受付手段で受け付けた仮名文字列と前記選択された漢字とを、前記漢字辞書に登録する登録手段とを備える漢字登録モードを有することを特徴とする電話機。」
と訂正する。
（２）訂正事項ｂ
　これに伴い、特許明細書の第２頁段落【0007】第３行、及び同第６頁段落【0045】第３行の「仮名文字列と、これに対応する漢字列の組を複数登録した漢字辞書」を、「仮名文字列と、これに対応する漢字列の組を行番コードの順に並べ、複数登録した漢字辞書」と訂正する。
  また、特許明細書の第６頁段落【0046】第９行の「前記漢字入力モードで、ユーザから、50音の行を表す数字が割り当てられた数字キーの押下回数によって特定される、入力すべき漢字列の最初の読みである仮名文字を受け付ける第１受付手段」を、「前記漢字入力モードで、ユーザから、50音の行を表す数字が割り当てられた数字キーの押下回数と、移動キーの押下によって特定される、入力すべき漢字列の最初の読みである仮名文字を受け付ける第１受付手段」と訂正する。
  さらに、特許明細書の第７頁段落【0047】第８行の「数字キーに割り当てられた50音の行を表す数字によって構成された数字列に、仮名文字列と漢字列とを対応付け登録した漢字辞書」を、「数字キーに割り付けられた50音の行を表す数字によって構成された数字列に、仮名文字列と漢字列とを対応付け、数字列の順に登録されている漢字辞書」と訂正する。
　
〔2-2〕訂正の目的の適否、新規事項の有無、及び特許請求の範囲の拡張・変更の存否
（１）訂正事項ａについて
  訂正事項ａは、特許明細書の特許請求の範囲の請求項１に記載された「仮名文字列と、これに対応する漢字列の組を複数登録した漢字辞書」を、より下位概念である「仮名文字列と、これに対応する漢字列の組を行番コードの順に並べ、複数登録した漢字辞書」と限定するものである。当該「行番コードの順に並べ」は、特許明細書の第３頁段落【0013】第４〜６行及び図２、６に記載されていたものである。
  訂正事項ａは、特許明細書の特許請求の範囲の請求項２に記載された「前記漢字入力モードで、ユーザから、50音の行を表す数字が割り当てられた数字キーの押下回数によって特定される、入力すべき漢字列の最初の読みである仮名文字を受け付ける第１受付手段」を、より下位概念である「前記漢字入力モードで、ユーザから、50音の行を表す数字が割り当てられた数字キーの押下回数と、移動キーの押下によって特定される、入力すべき漢字列の最初の読みである仮名文字を受け付ける第１受付手段」と限定するものである。当該「移動キーの押下によって特定される」は、特許明細書の第５頁段落【0033】、【0034】及び図８に記載されていたものである。
  訂正事項ａは、特許明細書の特許請求の範囲の請求項３に記載された「数字キーに割り当てられた50音の行を表す数字によって構成された数字列に、仮名文字列と漢字列とを対応付けて登録した漢字辞書」を、より下位概念である「数字キーに割り当てられた50音の行を表す数字によって構成された数字列に、仮名文字列と漢字列とを対応付け、数字列の順に登録されている漢字辞書」と限定するものである。当該「数字列の順に登録されている漢字辞書」は、特許明細書の段落【0013】第４〜６行、及び図２に記載されていたものである。
  訂正事項ａは、特許明細書の特許請求の範囲の請求項４に「・・・請求項１、請求項２又は請求項３記載の電話機」とあるのを、請求項１のみを引用した内容とし独立形式で記載したものである。
  したがって、上記訂正事項ａは、特許請求の範囲の減縮を目的とする訂正に該当し、新規事項の追加に該当せず、特許請求の範囲を実質上拡張し、又は変更するものでもない。
（２）訂正事項ｂについて
　訂正事項ｂは、特許請求の範囲の記載を上記のように訂正したことに伴い、特許請求の範囲の記載と発明の詳細な説明の記載との整合を図るためのものであるから、明りょうでない記載の釈明に該当し、新規事項の追加に該当せず、特許請求の範囲を実質上拡張し、又は変更するものでもない。
　
〔2-3〕独立特許要件
  本件特許の請求項４は特許異議申立ての対象とされていない請求項であり、請求項４に係る発明が特許出願の際独立して特許を受けることができないものではないことは、後記〔3-3〕に示すとおりである。
　
〔2-4〕むすび
　以上のとおりであるから、上記訂正は、特許法第120条の４第２項及び同条第３項において準用する特許法第126条第２項から第４項までの規定に適合するので、当該訂正を認める。
　
３．特許異議申立てについて
　
〔3-1〕申立ての理由の概要
　異議申立人松本一也は、甲第１号証（特開平8-314920号公報）、甲第２号証（特開平11-312046号公報）を提出し、本件特許の請求項１及び３に係る発明は、甲第１号証に記載された発明であるから、特許法第29条第１項第３号の規定により特許を受けることができないものであり、請求項１及び３に係る発明の特許は取り消されるべき旨、また、本件特許の請求項２に係る発明は、本件特許出願の日前の他の特許出願であって本件特許出願後に出願公開がされたものの願書に最初に添付した明細書又は図面である甲第２号証に記載された発明と同一であるから、特許法第29条の２の規定により特許を受けることができないものであり、請求項２に係る発明の特許は取り消されるべき旨、主張する。
　
〔3-2〕本件発明
　上記２．で示したように上記訂正が認められるから、本件の請求項１〜４に係る発明は、上記訂正請求に係る訂正明細書の特許請求の範囲の請求項１〜４に記載された事項により特定される次のとおりのものである。
　
「【請求項１】　漢字入力モードを有する電話機であって、
　仮名文字列と、これに対応する漢字列の組を行番コードの順に並べ、複数登録した漢字辞書と、
　前記漢字入力モードで、ユーザから、50音の何れかの行を表す行情報を複数受け付ける受付手段と、
　受け付けられた行情報によって表される行に含まれる文字群を行情報の並びに従い組み合わせた仮名文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段と
　を備えることを特徴とする電話機。
【請求項２】　漢字入力モードを有する電話機であって、
　仮名文字列と、これに対応する漢字列の組を複数登録した漢字辞書と、
　前記漢字入力モードで、ユーザから、50音の行を表す数字が割り当てられた数字キーの押下回数と、移動キーの押下によって特定される、入力すべき漢字列の最初の読みである仮名文字を受け付ける第１受付手段と、
　前記漢字入力モードで、ユーザから、50音の何れかの行を表す行情報を受け付ける第２受付手段と、
　前記漢字辞書から、第１受付手段で受け付けられた仮名文字と、第２受付手段で受け付けられた行情報によって表される行に含まれる文字群を行情報の並びに従い組み合わせた仮名文字列とを連結した連結文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段と
　を備えることを特徴とする電話機。
【請求項３】　漢字入力モードを有する電話機であって、
　数字キーに割り当てられた50音の行を表す数字によって構成された数字列に、仮名文字列と漢字列とを対応付け、数字列の順に登録されている漢字辞書と、
　前記漢字入力モードで、ユーザから、数字キーに割り当てられた50音の行を表す数字を受け付ける受付手段と、
　受け付けられた数字列に一致する仮名文字列を前記漢字辞書から検索し、検索された仮名文字列により漢字列を特定する検索特定手段と、
　特定された漢字列を表示する表示制御手段と、
　表示された漢字列から入力すべき漢字列の選択を受け付け、漢字列を決定する漢字列決定手段と
　を備えることを特徴とする電話機。
【請求項４】　漢字入力モードを有する電話機であって、
　仮名文字列と、これに対応する漢字列の組を複数登録した漢字辞書と、
　前記漢字入力モードで、ユーザから、50音の何れかの行を表す行情報を複数受け付ける受付手段と、
　受け付けられた行情報によって表される行に含まれる文字群を行情報の並びに従い組み合わせた仮名文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段とを備え、
　さらに、ユーザから、登録すべき漢字列の一部又は全部の読みである仮名文字列を受け付ける漢字読み受付手段と、
　受け付けた仮名文字列に対応する漢字列を、前記漢字辞書から検索して表示する漢字表示制御手段と、
　表示された漢字列から一部又は全部の漢字の選択を受け付ける漢字選択手段と、
　選択された漢字に対応する登録すべき仮名文字列が、前記漢字読み受付手段で受け付けた仮名文字列と異なるとき、前記受け付けた仮名文字列に代えて正しい読みの仮名文字列を受け付ける正解読み受付手段と、
　前記正解読み受付手段で受け付けた仮名文字列と前記選択された漢字とを、前記漢字辞書に登録する登録手段とを備える漢字登録モードを有することを特徴とする電話機。」
　
〔3-3〕特許法第29条第１項第３号及び同条第２項違反について
  異議申立人が提出した甲第１号証（特開平8-314920号公報）は、キー数に制限がある装置、例えば、携帯無線電話機のような携帯情報端末に好適な文字入力装置に関するもので、以下の技術事項が記載乃至開示されている。　
(a) 動作モード時には入力された文字列等に対応する候補文字列を単語辞書14より得ること（段落［0032］）。
(b)「単語辞書14に、・・・テンキー103の操作による数字のコードに対応して、仮名による文字又は文字列、漢字による文字又は文字列・・・が対応付けられて記憶されている」こと（段落［0039］〜［0041］）。単語辞書14が、数字のコードと当該数字のコードに対応する仮名文字列と、これに対応する漢字列の組を複数登録していること（図10）。
(c)「キーボード11のテンキー103の各数字キーには、仮名文字が複数個割り当てられている。つまり、通常のダイヤルキーの配置の数字キーの、「１」キーには五十音の「あ」行の５文字が割り当てられ、・・・が割り当てられている。」、「入力手段300から入力されたキー対応の文字又は入力された複数のキー対応の文字列について・・・」（段落［0032］）
(d)「辞書検索部15は、入力手段300から入力されたキー対応の文字又は入力された複数のキー対応の文字列について、上記辞書手段310を検索して」（段落［0032］）、辞書検索部15が、入力された行情報に相当する数字列の並びに従って、その行に含まれる文字群を組み合わせた仮名文字列に相当する候補文字列を単語辞書14から検索すること（段落［0042］〜［0048］）。
(e)「検索された「東京」のコードは検索結果文字出力バッファ43に出力され、・・・更に表示制御部17に送られ、表示装置16には「東京」が表示される」（段落［0047］、図14のS30、31）
(f)「辞書検索部15の制御部40は確定キーの操作または次候補キーの操作を関ししている（S31、S32）」、候補が複数ある場合は、図14のS32の次候補キーの操作を受け付け、次候補の漢字列を表示し、S31の確定キーの操作で入力すべき漢字列を確定すること（段落［0047］〜［0048］）。
　
【請求項１に係る発明について】
  請求項１に係る発明と甲第１号証に記載されたものとを対比する。甲第１号証における「動作モード」（記載事項ａ）は、請求項１に係る発明における「漢字入力モード」に相当する。甲第１号証における「単語辞書」（記載事項ｂ）は、数字のコードと当該数字のコードに対応する仮名文字列とこれに対応する漢字列の組を複数登録しているという限りにおいて、請求項１に係る発明における「漢字辞書」と共通する。甲第１号証のものは入力手段より仮名文字列が行情報として入力されるものである（記載事項ｃ）から、行情報を受け付ける手段を当然に有するものであり、該受け付ける手段は請求項１に係る発明における「漢字入力モードで、50音の何れかの行を表す行情報を複数受け付ける受付手段」に相当する。甲第１号証のものは、辞書検索部15が、入力された行情報に相当する数字列の並びに従ってその行に含まれる文字群を組み合わせた仮名文字列に相当する候補文字列を単語辞書14から検索するものであり（記載事項ｄ）、これは請求項１に係る発明における「検索手段」に相当する。甲第１号証のものは、漢字列が表示制御部17に送られ、表示装置16に表示されるものであり（記載事項ｅ）、これは請求項１に係る発明における「表示制御手段」に相当する。甲第１号証のものは、携帯無線電話機の辞書検索部15が、次候補キーの操作による漢字列の選択を受け付け、確定キーの操作により漢字列を決定するものであり（記載事項ｆ）、これは請求項１に係る発明における「漢字列決定手段」に相当する。そうすると、甲第１号証に記載されたものは、漢字辞書、50音の何れかの行を表す行情報を複数受け付ける受付手段、漢字列を前記漢字辞書から検索する検索手段、検索された漢字列を表示する表示制御手段、及び漢字列決定手段を備える電話機を開示するものであるが、漢字辞書に関し、仮名文字列に対応する漢字列の組を複数登録するものであっても、請求項１に係る発明のように該漢字列の組を行番コードの順に並べるものではない。また、この点を周知技術もしくは当業者の技術常識であるとすることもできない。
  したがって、請求項１に係る発明は甲第１号証に記載された発明であるとすることはできず、また、甲第１号証に記載された発明に基づいて当業者が容易に想到できたものとすることもできない。
　
【請求項３について】
  請求項３に係る発明と甲第１号証に記載されたものとを対比する。甲第１号証における「動作モード」（記載事項ａ）は、請求項３に係る発明における「漢字入力モード」に相当する。甲第１号証における「単語辞書」（記載事項ｂ）は、数字のコードと当該数字のコードに対応する仮名文字列とこれに対応する漢字列の組を複数登録しているという限りにおいて、請求項３に係る発明における「漢字辞書」と共通する。甲第１号証のものはキーボード11より数字キーに割り当てられた50音の行を表す数字が入力されるものである（記載事項ｃ）から、数字を受け付ける手段を当然に有するものであり、該受け付ける手段は請求項３に係る発明における「数字を受け付ける受付手段」に相当する。甲第１号証のものは、辞書検索部15が、入力された数字に一致する仮名文字列に相当する候補文字列を単語辞書14から検索するものであり（記載事項ｄ）、これは請求項３に係る発明における「検索特定手段」に相当する。甲第１号証のものは、漢字列が表示制御部17に送られ、表示装置16に表示されるものであり（記載事項ｅ）、これは請求項３に係る発明における「表示制御手段」に相当する。甲第１号証のものは、携帯無線電話機の辞書検索部15が、次候補キーの操作による漢字列の選択を受け付け、確定キーの操作により漢字列を決定するものであり（記載事項ｆ）、これは請求項３に係る発明における「漢字列決定手段」に相当する。そうすると、甲第１号証に記載されたものは、漢字辞書、数字キーに割り当てられた50音の行を表す数字を受け付ける受付手段、漢字列を前記漢字辞書から検索し特定する検索特定手段、検索された漢字列を表示する表示制御手段、及び漢字列決定手段を備える電話機を開示するものといえるが、漢字辞書に関し、数字キーに割り当てられた50音の行を表す数字によって構成された数字列に仮名文字列と漢字列とを対応付けたものであっても、請求項３に係る発明のように該対応付けたものを数字列の順に登録するものではない。また、この点を周知技術もしくは当業者の技術常識であるとすることもできない。
  したがって、請求項３に係る発明は甲第１号証に記載された発明であるとすることはできず、また、甲第１号証に記載された発明に基づいて当業者が容易に想到できたものとすることもできない。
　
【請求項４に係る発明について】
  請求項４に係る発明は、ユーザから入力された漢字列及びその読みとしての仮名文字列を新たに漢字辞書に登録するもので、電話機の機能に加え、「漢字登録モード」を制御する機能を有するものである。一方、甲第１号証には、このような「漢字登録モード」を制御することについては、記載も示唆もされていない。また、この点を周知技術もしくは当業者の技術常識であるとすることもできない。
  したがって、請求項４に係る発明は甲第１号証に記載された発明であるとすることはできず、また、甲第１号証に記載された発明に基づいて当業者が容易に想到できたものとすることもできない。
　
〔3-4〕特許法第29条の２違反について
  異議申立人が提出した、本件特許出願の日前の他の特許出願であって本件特許出願後に出願公開がされた特願平11-14968号の願書に最初に添付した明細書又は図面である甲第２号証（特開平11-312046号公報参照。以下、「先願明細書」という。）には、以下の技術事項が記載乃至開示されている。
(a)「本発明による１つのキーに２つ以上の文字を割り当てて小型化した曖昧性を解消するキーボード装置であって、ディスプレイ53を有する携帯型電話52に組み込まれたものを説明する。」（段落［0049］）
　通常のモードのオペレーションとして漢字を入力するモードについて記載されている（段落［0055］〜［0058］）。
(b) 語彙モジュール110には、数字、文字、語等のオブジェクトのライブラリが含まれ、キー入力された50音の行の行頭文字からなる文字列から仮名文字列、更には該仮名文字列に対応する漢字列に変換する機能を備えていること（段落［0057］〜［0058］、［0067］）。
(c) 入力する漢字列に対応する読みの仮名文字列の最初の文字について曖昧でなく特定すること、特に、キーボード54の各数値キーに50音の行が割り当てられており、ユーザは入力する漢字列に対応する読みの仮名文字列の最初の文字を、既知の複数ストローク特定方法を使用して曖昧でなく特定すること（段落［0092］）。多ストローク特定方法としてその文字の対応する行のキーを逐次的にストロークすることによってその行の目的の文字を曖昧でなく特定すること（段落［0007］〜［0008］）。
(d) 第２の文字以降は１回のキー入力を用いる曖昧な指定方法で入力されること（段落［0092］）。
(e) 入力された仮名文字列は語彙モジュールを用いた変換処理により、先ず選択キー60の操作により対応する仮名文字列を検索し、候補表示し、ユーザが変換キーにより選択決定を行うと、対応する見出し語を検索すること（段落［0055］〜［0058］）。
(f) 検索された漢字列はディスプレイ53に表示されること（段落［0052］）。(g) 漢字列の候補が複数ある場合は、変換キー62の繰り返し操作により表示する候補を置き換え、意図する漢字列が表示されたところで、いずれかのデータキーを押し下げることによって漢字列が確定されること（段落［0057］〜［0058］）。
　
【請求項２に係る発明について】
  請求項２に係る発明と先願明細書に記載されたものとを対比する。先願明細書に記載された通常のモードのオペレーションとしての漢字入力モード（記載事項ａ）は請求項２に係る発明における「漢字入力モード」に相当する。先願明細書に記載された「語彙モジュール」（記載事項ｂ）は、請求項２に係る発明における「漢字辞書」に相当する。先願明細書に記載されたものは、入力する漢字列に対応する読みの仮名文字列の最初の文字を、既知の複数ストローク特定方法を使用して曖昧でなく特定するものである（記載事項ｃ）から、これを受け付ける手段は当然に有するものであり、その限りにおいて該手段は請求項２に係る発明における「第１受付手段」と共通する。先願明細書に記載されたものは、第２の文字以降は、キーボード54の１回のキー入力を用いる曖昧な指定方法で入力されるものであり（記載事項ｄ）、これは、キーボード54の各数値キーに50音の行が割り当てられており、ユーザは入力する漢字列に対応する読みの２文字目以降はその各文字が含まれる行に対応する数値キーを１回だけ指定することで入力することを意味するものであるから、請求項２に係る発明における「第２受付手段」に相当する。先願明細書に記載された見出し語（漢字列）を検索する手段（記載事項ｅ）は、請求項２に係る発明における漢字列の「検索手段」に相当する。先願明細書に記載された検索された見出し語（漢字列）をディスプレイに表示すること（記載事項ｆ）は、請求項２に係る発明における「表示制御手段」に相当する。先願明細書に記載された漢字列の確定に関する手段（記載事項ｇ）は、請求項２に係る発明における「漢字列決定手段」に相当する。そうすると、先願明細書に記載されたものは、漢字辞書、入力すべき最初の読みである仮名文字を受け付ける第１受付手段、50音の何れかの行を表す行情報を受け付ける第２受付手段、漢字列を前記漢字辞書から検索する検索手段、表示制御手段、及び漢字列決定手段とを備える電話機を開示するものであるが、第１受付手段に関し、50音の行を表す数字が割り当てられた数字キーの押下回数によって特定される入力すべき最初の読みである仮名文字を受け付けるものであっても、請求項２に係る発明のように数字キーの押下回数と、移動キーの押下によって特定するものではない。また、この点を課題解決のための具体化手段における微差であるとすることもできない。
  したがって、請求項２に係る発明は、先願明細書に記載された発明と同一であるとすることはできない。
　
４．むすび
  以上のとおりであるから、特許異議の申立ての理由及び証拠によっては、本件請求項１乃至３に係る発明の特許を取り消すことはできない。
　また、他に本件請求項１乃至３に係る発明の特許を取り消すべき理由を発見しない。
  よって、結論のとおり決定する。
【異議決定日】
平成１４年９月３０日（２００２．９．３０）
【訂正の要旨】
訂正の要旨
　特許権者が求めている訂正の内容は、次のとおりである。
（１）訂正事項ａ
　特許請求の範囲の請求項１〜４の
「【請求項１】　漢字入力モードを有する電話機であって、
　仮名文字列と、これに対応する漢字列の組を複数登録した漢字辞書と、
　前記漢字入力モードで、ユーザから、５０音の何れかの行を表す行情報を複数受け付ける受付手段と、
　受け付けられた行情報によって表される行に含まれる文字群を行情報の並びに従い組み合わせた仮名文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段と
　を備えることを特徴とする電話機。
　【請求項２】　漢字入力モードを有する電話機であって、
　仮名文字列と、これに対応する漢字列の組を複数登録した漢字辞書と、
　前記漢字入力モードで、ユーザから、５０音の行を表す数字が割り当てられた数字キーの押下回数によって特定される、入力すべき漢字列の最初の読みである仮名文字を受け付ける第１受付手段と、
　前記漢字入力モードで、ユーザから、５０音の何れかの行を表す行情報を受け付ける第２受付手段と、
　前記漢字辞書から、第１受付手段で受け付けられた仮名文字と、第２受付手段で受け付けられた行情報によって表される行に含まれる文字群を行情報の並びに従い組み合わせた仮名文字列とを連結した連結文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段と
　を備えることを特徴とする電話機。
　【請求項３】　漢字入力モードを有する電話機であって、
　数字キーに割り当てられた５０音の行を表す数字によって構成された数字列に、仮名文字列と漢字列とを対応付けて登録した漢字辞書と、
　前記漢字入力モードで、ユーザから、数字キーに割り当てられた５０音の行を表す数字を受け付ける受付手段と、
　受け付けられた数字列に一致する仮名文字列を前記漢字辞書から検索し、検索された仮名文字列により漢字列を特定する検索特定手段と、
　特定された漢字列を表示する表示制御手段と、
　表示された漢字列から入力すべき漢字列の選択を受け付け、漢字列を決定する漢字列決定手段と
　を備えることを特徴とする電話機。
　【請求項４】　ユーザから、登録すべき漢字列の一部又は全部の読みである仮名文字列を受け付ける漢字読み受付手段と、
　受け付けた仮名文字列に対応する漢字列を、前記漢字辞書から検索して表示する漢字表示制御手段と、
　表示された漢字列から一部又は全部の漢字の選択を受け付ける漢字選択手段と、
　選択された漢字に対応する登録すべき仮名文字列が、前記漢字読み受付手段で受け付けた仮名文字列と異なるとき、前記受け付けた仮名文字列に代えて正しい読みの仮名文字列を受け付ける正解読み受付手段と、
　前記正解読み受付手段で受け付けた仮名文字列と前記選択された漢字とを、前記漢字辞書に登録する登録手段とを備える漢字登録モードを有することを特徴とする請求項１、請求項２又は請求項３記載の電話機。」
を、
「【請求項１】　漢字入力モードを有する電話機であって、
　仮名文字列と、これに対応する漢字列の組を行番コードの順に並べ、複数登録した漢字辞書と、
　前記漢字入力モードで、ユーザから、５０音の何れかの行を表す行情報を複数受け付ける受付手段と、
　受け付けられた行情報によって表される行に含まれる文字群を行情報の並びに従い組み合わせた仮名文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段と
　を備えることを特徴とする電話機。
　【請求項２】　漢字入力モードを有する電話機であって、
　仮名文字列と、これに対応する漢字列の組を複数登録した漢字辞書と、
　前記漢字入力モードで、ユーザから、５０音の行を表す数字が割り当てられた数字キーの押下回数と、移動キーの押下によって特定される、入力すべき漢字列の最初の読みである仮名文字を受け付ける第１受付手段と、
　前記漢字入力モードで、ユーザから、５０音の何れかの行を表す行情報を受け付ける第２受付手段と、
　前記漢字辞書から、第１受付手段で受け付けられた仮名文字と、第２受付手段で受け付けられた行情報によって表される行に含まれる文字群を行情報の並びに従い組み合わせた仮名文字列とを連結した連結文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段と
　を備えることを特徴とする電話機。
　【請求項３】　漢字入力モードを有する電話機であって、
　数字キーに割り当てられた５０音の行を表す数字によって構成された数字列に、仮名文字列と漢字列とを対応付け、数字列の順に登録されている漢字辞書と、
　前記漢字入力モードで、ユーザから、数字キーに割り当てられた５０音の行を表す数字を受け付ける受付手段と、
　受け付けられた数字列に一致する仮名文字列を前記漢字辞書から検索し、検索された仮名文字列により漢字列を特定する検索特定手段と、
　特定された漢字列を表示する表示制御手段と、
　表示された漢字列から入力すべき漢字列の選択を受け付け、漢字列を決定する漢字列決定手段と
　を備えることを特徴とする電話機。
　【請求項４】　漢字入力モードを有する電話機であって、
　仮名文字列と、これに対応する漢字列の組を複数登録した漢字辞書と、
　前記漢字入力モードで、ユーザから、５０音の何れかの行を表す行情報を複数受け付ける受付手段と、
　受け付けられた行情報によって表される行に含まれる文字群を行情報の並びに従い組み合わせた仮名文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段とを備え、
　さらに、ユーザから、登録すべき漢字列の一部又は全部の読みである仮名文字列を受け付ける漢字読み受付手段と、
　受け付けた仮名文字列に対応する漢字列を、前記漢字辞書から検索して表示する漢字表示制御手段と、
　表示された漢字列から一部又は全部の漢字の選択を受け付ける漢字選択手段と、
　選択された漢字に対応する登録すべき仮名文字列が、前記漢字読み受付手段で受け付けた仮名文字列と異なるとき、前記受け付けた仮名文字列に代えて正しい読みの仮名文字列を受け付ける正解読み受付手段と、
　前記正解読み受付手段で受け付けた仮名文字列と前記選択された漢字とを、前記漢字辞書に登録する登録手段とを備える漢字登録モードを有することを特徴とする電話機。」
と訂正する。
（２）訂正事項ｂ
　これに伴い、特許明細書の第２頁段落【０００７】第３行、及び同第６頁段落【００４５】第３行の「仮名文字列と、これに対応する漢字列の組を複数登録した漢字辞書」を、「仮名文字列と、これに対応する漢字列の組を行番コードの順に並べ、複数登録した漢字辞書」と訂正する。
　また、特許明細書の第６頁段落【００４６】第９行の「前記漢字入力モードで、ユーザから、５０音の行を表す数字が割り当てられた数字キーの押下回数によって特定される、入力すべき漢字列の最初の読みである仮名文字を受け付ける第１受付手段」を、「前記漢字入力モードで、ユーザから、５０音の行を表す数字が割り当てられた数字キーの押下回数と、移動キーの押下によって特定される、入力すべき漢字列の最初の読みである仮名文字を受け付ける第１受付手段」と訂正する。
　さらに、特許明細書の第７頁段落【００４７】第８行の「数字キーに割り当てられた５０音の行を表す数字によって構成された数字列に、仮名文字列と漢字列とを対応付け登録した漢字辞書」を、「数字キーに割り付けられた５０音の行を表す数字によって構成された数字列に、仮名文字列と漢字列とを対応付け、数字列の順に登録されている漢字辞書」と訂正する。
（５４）【発明の名称】
電話機
（５７）【特許請求の範囲】
　【請求項１】　漢字入力モードを有する電話機であって、
　仮名文字列と、これに対応する漢字列の組を
行番コードの順に並べ、
　前記漢字入力モードで、ユーザから、５０音の何れかの行を表す行情報を複数受け付ける受付手段と、
　受け付けられた行情報によって表される行に含まれる文字群を行情報の並びに従い組み合わせた仮名文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段とを備えることを特徴とする電話機。
　【請求項２】　漢字入力モードを有する電話機であって、
　仮名文字列と、これに対応する漢字列の組を複数登録した漢字辞書と、
　前記漢字入力モードで、ユーザから、５０音の行を表す数字が割り当てられた数字キーの押下回数
と、移動キーの押下に
　前記漢字入力モードで、ユーザから、５０音の何れかの行を表す行情報を受け付ける第２受付手段と、
　前記漢字辞書から、第１受付手段で受け付けられた仮名文字と、第２受付手段で受け付けられた行情報によって表される行に含まれる文字群を行情報の並びに従い組み合わせた仮名文字列とを連結した連結文字列に対応する漢字列を、前記漢字辞書から検索する検索手段と、
　検索された漢字列を表示する表示制御手段と、
　表示された漢字列から入力すべき漢字列の選択を受け付け、漢字列を決定する漢字列決定手段とを備えることを特徴とする電話機。
　【請求項３】　漢字入力モードを有する電話機であって、
　数字キーに割り当てられた５０音の行を表す数字によって構成された数字列に、仮名文字列と漢字列とを対応付け
、数字列の順に登録されている
　前記漢字入力モードで、ユーザから、数字キーに割り当てられた５０音の行を表す数字を受け付ける受付手段と、
　受け付けられた数字列に一致する仮名文字列を前記漢字辞書から検索し、検索された仮名文字列により漢字列を特定する検索特定手段と、
　特定された漢字列を表示する表示制御手段と、
　表示された漢字列から入力すべき漢字列の選択を受け付け、漢字列を決定する漢字列決定手段とを備えることを特徴とする電話機。
　【請求項４】　
漢字入力モードを有する電話機であって、
　
仮名文字列と、これに対応する漢字列の組を複数登録した漢字辞書と、
　
前記漢字入力モードで、ユーザから、５０音の何れかの行を表す行情報を複数受け付ける受付手段と、
　
受け付けられた行情報によって表される行に含まれる文字群を行情報の並びに従い組み合わせた仮名文字列に対応する漢字列を、前記漢字辞書から検索する検索手段と、
　
検索された漢字列を表示する表示制御手段と、
　
表示された漢字列から入力すべき漢字列の選択を受け付け、漢字列を決定する漢字列決定手段とを備え、
　
さらに、
　受け付けた仮名文字列に対応する漢字列を、前記漢字辞書から検索して表示する漢字表示制御手段と、
　表示された漢字列から一部又は全部の漢字の選択を受け付ける漢字選択手段と、
　選択された漢字に対応する登録すべき仮名文字列が、前記漢字読み受付手段で受け付けた仮名文字列と異なるとき、前記受け付けた仮名文字列に代えて正しい読みの仮名文字列を受け付ける正解読み受付手段と、
　前記正解読み受付手段で受け付けた仮名文字列と前記選択された漢字とを、前記漢字辞書に登録する登録手段とを備える漢字登録モードを
有することを特徴とする
【発明の詳細な説明】
　【０００１】
　【発明の属する技術分野】本発明は、電話機に関し、特にディスプレイを有する電話機の漢字入力に関する。
　【０００２】
　【従来の技術】近年、電話機は、基本となる通話機能の他に多くの有用な機能を備えるようになっている。漢字入力機能もその一つである。この漢字入力機能は、ユーザが希望する漢字を入力する機能であり、例えばユーザから受け付けた「かな」を「かな漢字変換」してＬＣＤ等に表示させ、ユーザから漢字の選択を受け付ける機能である。電話機のユーザは、電話番号の登録や電話番号の検索を行う場合、また、Ｅメール用の文章を作成する場合に、この漢字入力機能を用いて希望する漢字の入力を行う。
　【０００３】この漢字入力機能を実現するため、従来の電話機は、漢字辞書を内蔵し、各数字キーに５０音の各行の文字群が割り当てられている。ユーザによって、文字群が割り当てられた数字キーが１回又は複数回押下されると、電話機は、その押下回数によって、割り当てられた文字群の中から１つの「かな」を特定する。例えば、数字キー「１」に「あ行」の５文字が割り当てられている場合は、数字キー「１」が１回押下されると文字「あ」を、２回押下されると文字「い」を、３回押下されると文字「う」を、４回押下されると文字「え」を、５回押下されると文字「お」を、それぞれ特定する。同様に、数字キー「２」に「か行」の５文字が割り当てられている場合は、数字キー「２」の押下回数により「か行」の各文字を特定する。以下、その他各行のそれぞれの文字を特定する場合も同様である。
　【０００４】従来の電話機は、＜漢字入力モード＞において、漢字の「読み」であるかなを上記の数字キーの操作によってユーザから入力されると、内蔵する漢字辞書を検索して「読み」に対応する漢字を特定し、特定した漢字をディスプレイに表示する。以上の漢字入力機能を有する電話機を用いて「末永」という漢字を入力する場合、ユーザは、以下のような操作を行う。
　【０００５】最初に、＜漢字入力モード＞に切り換えて、入力したい漢字の読み「すえなが」を入力する。この場合ユーザは、「▲３▼、▲３▼、▲３▼、▲１▼、▲１▼、▲１▼、▲１▼、▲５▼、▲２▼、記号」の順で押下する。なお、○印は数字キーを表している。また、「記号」キーは、濁点を表している。次に、ユーザは、「Ｆ／変換」キーを押下する。これにより、電話機においては、かな文字列「すえなが」に基づいて漢字辞書が検索され、ディスプレイに「末永」が表示されるので、ユーザは、この「末永」を電話番号の登録等に用いることができる。
　【０００６】
　【発明が解決しようとする課題】しかしながら、このような電話機のユーザは、上記のように希望する漢字を入力するまでに多くのキー入力が強いられ、その操作は煩雑である。本発明は、上記課題に鑑みてなされたものであり、ユーザが希望する漢字を簡単な操作によって入力することのできる電話機を提供することを目的とする。
　【０００７】
　【課題を解決するための手段】上記目的を達成するために、本発明に係る電話機は、漢字入力モードを有する電話機であって、仮名文字列と、これに対応する漢字列の組を行番コードの順に並べ、複数登録した漢字辞書と、前記漢字入力モードで、ユーザから、５０音の何れかの行を表す行情報を複数受け付ける受付手段と、受け付けられた行情報によって表される行に含まれる文字群を行情報の並びに従い組み合わせた仮名文字列に対応する漢字列を、前記漢字辞書から検索する検索手段と、検索された漢字列を表示する表示制御手段と、表示された漢字列から入力すべき漢字列の選択を受け付け、漢字列を決定する漢字列決定手段とを備える。
　【０００８】これにより、ユーザから、漢字列の読みに対応する５０音の行を表す行情報を受け付け、これに対応する漢字列の候補を漢字辞書から検索して表示するので、ユーザは、入力を希望する漢字列を簡単な操作で選択することが可能となる。
　【０００９】
　【発明の実施の形態】以下、本発明に係る電話機の実施の形態について、図面を参照しながら説明する。
（実施の形態１）図１は、本実施の形態における電話機の機能ブロック図である。なお、同図は、電話機の一例である携帯型電話機の機能ブロック図を示している。
　【００１０】電話機１０は、無線部１１、モデム部１２、ＴＤＭＡ処理部１３、Ｄ／Ａ・Ａ／Ｄ変換部１４、音声処理部１５、スピーカ１６、マイク１７、漢字辞書１８、表示部１９、入力部２０、制御部２１から構成される。無線部１１は、送信時にモデム部１２から出力されるベースバンド信号を搬送波に変換してアンテナより出力し、受信時にアンテナから入力される高周波信号をベースバンド信号に変換してモデム部１２に出力する。
　【００１１】モデム部１２は、無線部１１とＴＤＭＡ処理部１３との間で、変調及び復調を行う。ＴＤＭＡ（Ｔｉｍｅ　Ｄｉｖｉｓｉｏｎ　Ｍｕｌｔｉｐｌｅ　Ａｃｃｅｓｓ）処理部１３は、１つのベースバンド信号を５ｍｓ当たり８つのタイムスロットに分割し、上りに４スロット、下りに４スロット割り当てることにより、双方向の４チャネルを時分割多重する。なお、ＰＤＣ（Ｐｅｒｓｏｎａｌ　Ｄｉｇｉｔａｌ　Ｃｅｌｌｕｌａｒ）方式の携帯型電話機においては、１つのベースバンド信号を４０ｍｓ当たり６つのタイムスロットに分割し、上りに６スロット、下りに６スロット割り当てることにより、双方向の６チャネルを時分割多重する。
　【００１２】Ｄ／Ａ・Ａ／Ｄ変換部１４は、ＴＤＭＡ処理部１３と音声処理部１５との間で、ディジタルオーディオ信号とアナログ音声信号とを相互に変換する。音声処理部１５は、スピーカ１６やマイク１７を介して音声信号の入出力とその増幅等を行う。漢字辞書１８は、５０音における行を表す番号の列（以下、「行番コード」という。）と、かな文字列と、漢字列とが１セットで登録されている。ここで、「行番コード」とは、５０音の行を表す番号「１〜９、０」で構成されるコードであり、「かな文字列」の文字数と同じ桁数の数字で構成されるコードをいう。なお、行番コードを構成する数字「１」〜「９」及び「０」は、５０音の各行「あ」〜「わ」を表す。
　【００１３】図２は、漢字辞書１８の一例を示す。同図のかな文字列２０２と漢字列２０３は、実際には、それぞれ文字コード（例えば、シフトＪＩＳコード）の形態で登録されている。また、漢字辞書１８は、行番コード２０１が「１〜９、０」の順に、かつ、桁数が少ない行番コード順に各セットが登録されている。表示部１９は、液晶ディスプレイパネル等で実現され、ユーザから受け付けた数字キーを示す数字や検索された漢字列等の表示を行う。
　【００１４】入力部２０は、数字キーや各種専用キー（例えば、右移動キー（「＃＞」キー）、メモリキー、アップキー／ダウンキー（「△」キー／「▽」キー）」等）のキーを有し、操作者からキー押下を受け付けて制御部２１に通知する。図３は、電話機１０の表示部１９と入力部２０との外観の一例を示す図である。ここでは、入力部２０におけるキーのうち、本実施の形態に関連する数字キー３０１（破線内の１０個のキー）、変換キー３０２、アップキー３０３／ダウンキー３０４、メモリキー３０５について説明する。
　【００１５】数字キー３０１は、＜時短漢字入力モード＞において、ユーザから、行番コードの数字を受け付けるキーである。ここで、＜時短漢字入力モード＞とは、ユーザから受け付けた行番コードに基づいて、漢字辞書から行番コードに対応する漢字列を検索し、検索した漢字列を表示部１９に表示するモードであり、本電話機１０特有のモードである。図３に示されるように、数字キーの「１」〜「９」及び「０」には、それぞれ５０音の「あ行」〜「ら行」及び「わ行」が割り当てられている。
　【００１６】変換キー３０２は、行番コードに一致する漢字列を検索するための指示を、ユーザから受け付けるキーである。アップキー３０３及びダウンキー３０４は、検索された漢字列のうち、前候補の漢字列、又は次候補の漢字列を表示させるため「スクロール」を行う指示を、ユーザから受け付けるキーである。
　【００１７】メモリキー３０５は、ユーザから選択された漢字列の文字コードを作業用メモリ２５に記憶するための指示を、ユーザから受け付けるキーである。制御部２１は、ＲＯＭ２２、行番メモリ２３、表示用メモリ２４、作業用メモリ２５などを内蔵したマイクロコンピュータにより構成され、ＲＯＭ２２に格納されている制御プログラムを実行することによって、電話機１０全体の制御を行う。ここで、行番メモリ２３は、ユーザから受け付けた行番コードを記憶するためのメモリである。また、表示用メモリ２４は、漢字辞書１８から検索した漢字列の文字コードを、作業用メモリ２５は、ユーザによって選択された漢字列の文字コードをそれぞれ記憶するためのメモリである。
　【００１８】また、制御部２１は、＜時短漢字入力モード＞において、ユーザから「行番コード」が入力され「変換キー」のキー押下の通知を受け付けると、行番コードに一致するかな文字列を漢字辞書１８から検索し、検索したかな文字列に対応付けられて登録されている漢字列の文字コードを表示用メモリ２４に格納する。さらに、制御部２１は、表示用メモリ２４に記憶されている漢字列を表示するように、表示部１９に指示する。
　【００１９】制御部２１における上記検索は、本実施の形態において特徴的な内容であるので、図２を参照しながらより具体的に説明する。制御部２１は、ユーザから、行番コード「３１５２」を受け付けると、漢字辞書１８の行番コード２０１を参照して、「３１５２」に一致する行番コードがあるか否かを判別する。次に、制御部２１は、「３１５２」に一致すると判別した行番コードに対応付けられて漢字辞書１８に登録されている漢字列の「才野木」、「塩野木」、「末永」の文字コードを表示用メモリ２４に記憶する。
　【００２０】次に、本実施の形態における電話機１０の動作について、図４及び図５のフローチャートを参照しながら説明する。図４は、制御部２１の処理の流れを示すフローチャートである。最初に、制御部２１は、行番メモリ２３、表示用メモリ２４及び作業用メモリ２５の初期化（たとえば、「ＮＵＬＬ」クリア）を行い（Ｓ４０１）、＜時短漢字入力モード＞において、ユーザからキー押下があるか否かを監視する（Ｓ４０２、Ｓ４０３）。
　【００２１】キー押下があった場合、制御部２１は、押下されたキーの種類が、「数字キー」、「変換キー」、「アップキー又はダウンキー」、「メモリキー」の何れかであるか否かを判別する（Ｓ４０４、Ｓ４０６、Ｓ４０７、Ｓ４０９）。押下されたキーが「数字キー」の場合（Ｓ４０４、Ｙｅｓ）、制御部２１は、押下された数字キーの数字を受け付け順に行番メモリ２３に格納する（Ｓ４０５）。
　【００２２】押下されたキーが「変換キー」の場合（Ｓ４０６、Ｙｅｓ）の処理内容については、図５を参照しながら後述する。押下されたキーが「アップキー」又は「ダウンキー」の場合（Ｓ４０７、Ｙｅｓ）、制御部２１は、検索された漢字列の前方又は後方へのスクロール表示を行う（Ｓ４０８）。
　【００２３】最後に、押下されたキーが「メモリキー」の場合（Ｓ４０９、Ｙｅｓ）、制御部２１は、ユーザによって選択された漢字列の文字コードを作業用メモリ２５に格納し（Ｓ４１０）、本処理を終了する。図５は、「変換キー」が押下された場合の制御部２１の処理の流れを示すフローチャートである。
　【００２４】制御部２１は、行番メモリ２３の内容を読み出して行番コードを特定する（Ｓ５０１）。次に、制御部２１は、漢字辞書１８に対して行番コードに一致するかな文字列を検索する（Ｓ５０２）。行番コードに一致するかな文字列がある場合（Ｓ５０３、Ｙｅｓ）、制御部２１は、そのかな文字列に対応付けられて登録されている漢字列の文字コードを表示用メモリ２４に格納する（Ｓ５０４）。
　【００２５】最後に、制御部２１は、表示部１９に対して、表示用メモリ２４に格納されている文字コードの漢字列を表示するように指示する（Ｓ５０５）。以上のように、本実施の形態の電話機は、ユーザから漢字列の読み（かな文字列）に対応する行番コードを受け付けて、これに対応する漢字列の候補を漢字辞書から検索して表示するので、ユーザは、入力を希望する漢字列を簡単な操作で選択することができる。
（実施の形態２）本実施の形態では、前記実施の形態１の電話機１０が行番コードを有する漢字辞書を用いて行番コードによる漢字列の検索を行ったのに対し、行番コードを有しない漢字辞書であっても行番コードによる漢字列の検索を実現する。
　【００２６】本実施の形態における電話機は、前記電話機１０における漢字辞書１８及び制御部２１に代えて、これらとは異なる漢字辞書及び制御部を備える。なお、以下では、前記電話機１０と同じ構成については説明を省略し、構成が異なる漢字辞書及び制御部を中心に説明する。図６は、本実施の形態における漢字辞書の一例を示す。同図に示されるように、本漢字辞書は、「かな文字列」と「漢字列」のみが対応付けられて登録されている（前記漢字辞書１８にある行番コードはない）。
　【００２７】制御部は、＜時短漢字入力モード＞において、ユーザから「行番コード」が入力され、「変換キー」のキー押下の通知を受け付けると、当該漢字辞書に対し、行番コードに対応する「かな文字列」があるか否かを判別する。この場合の「対応する」とは、行番コードの桁毎の番号が示す５０音の行に含まれるかな文字群（例えば、「あ行」であれば「あ」〜「お」の５文字）に、漢字辞書１８に登録されている「かな文字列」のそれぞれの「かな」が含まれていることを意味する。例えば、行番コードの１桁目の番号が「３」で、かな文字列の１文字目が「す」の場合は、番号「３」が示す５０音の「さ行」には「す」が含まれるので、この場合、行番コードの１桁目とかな文字列の１文字目は対応していることになる。同様に、行番コードの全ての桁とかな文字列の全ての文字が対応するか否かを調べ、全て対応する場合に、そのかな文字列は最終的に行番コードに「対応する」と判別する。
　【００２８】また、本制御部は、判別した「かな文字列」に対応付けられて登録されている「漢字列」を特定し、特定した漢字列の文字コードを表示用メモリ２４に記憶する。さらに、制御部２１は、表示用メモリ２４に記憶されている漢字列の文字コードに基づいて漢字列を表示するように、表示部１９に指示する。図７は、本実施の形態において、ユーザから「変換キー」が押下された場合に、前記図４における押下されたキーの判別処理「変換キーか？」（Ｓ４０６、Ｙｅｓ）に続く処理の流れを示すフローチャートである。
　【００２９】最初に、本制御部は、変数ｉ及びｊの初期化を行い（Ｓ７０１）、行番メモリ２３から行番コードを読み出す（Ｓ７０２）。ここで、「変数ｉ」は、漢字辞書１８における「かな文字列」の番号を表す。また、「変数ｊ」は、行番コードの桁番号（この場合、左端の桁が桁番号「１」）を表す。なお、「変数ｊ」は桁番号を表すと共に、かな文字列の文字番号（この場合、左端の文字が文字番号「１」）をも表す。
　【００３０】次に、本制御部は、不対応フラグＦを「０」クリアし、漢字辞書１８から最初のかな文字列を読み出す（Ｓ７０４、Ｓ７０５）。ここで、「不対応フラグ」とは、行番コードとかな文字列とが対応していないことを表すフラグである。　また、本制御部は、行番コードの各桁毎に、かな文字列の各文字の「かな」が対応するか否かを判定し（Ｓ７０８）、対応しないと判定した場合は不対応フラグＦに「１」を設定する（Ｓ７０９）。なお、本制御部は、不対応フラグＦに「１」が設定されている場合は（Ｓ７０７）、そのかな文字列に対するその後の対応／不対応の判定は省略する。
　【００３１】なお、本制御部は、上記の対応／不対応の判定を行番コード全ての桁に対して実行する（Ｓ７０６〜Ｓ７１０）。さらに、本制御部は、以上の処理を、全ての「かな文字列」に対して実行し（Ｓ７０３〜Ｓ７１３）、行番コードと対応する「かな文字列」を検索し、検索した漢字列を表示するように、表示部１９に指示する（Ｓ７１４）。
　【００３２】以上のように、本実施の形態の電話機は、漢字辞書の「かな文字列」及び「漢字列」が、行番コードに対応付けられて登録されていない場合であっても、ユーザから入力された行番コードに対応する「かな文字列」を検索し、このかな文字列に対応付けられて登録されている漢字列を特定して、表示部に表示させることができる。
（実施の形態３）本実施の形態では、ユーザから入力された「行番コード」の１桁目のコードが「数字」でなく「かな」の場合に、この「かな」を含む「かな文字列」を漢字辞書から検索し、この「かな文字列」に対応する「漢字列」の表示を行う。
　【００３３】本実施の形態における電話機は、前記実施の形態２における電話機における制御部に代えて、異なる制御部を備える。なお、以下では、前記実施の形態２における電話機と同じ構成については説明を省略し、構成が異なる本制御部を中心に説明する。制御部は、＜時短漢字入力モード＞において、ユーザから「数字キー」による数字の入力の後に「右移動キー」（「＃＞」キー）が押下された場合、入力された数字の後に、右移動キーを示すコード（例えば、「スペース」の文字コード等）を付加して行番メモリ２３に格納する。
　【００３４】また、制御部は、行番メモリ２３に右移動キーを示すコードがある場合は、それ以前の数字又は連続した数字は、１文字の「かな」を表すものと解釈して、漢字辞書１８を検索する。例えば、行番メモリ２３に「３、３、３、０ｘ８１４０、１、５、２」と格納されている場合は、「３、３、３」を「かな」の「す」と解釈する。ここで、「０ｘ８１４０」は、スペースを表すシフトＪＩＳコードである。
　【００３５】さらに、制御部は、ユーザから「変換キー」が押下された場合に、行番メモリ２３から行番コードを読み出し、この行番コードに対応する「かな文字列」を漢字辞書１８から検索する。この際、行番コードの１桁目が「かな」の場合は、この「かな」を含み、２桁目以降の行番コードに対応する「かな文字列」を検索する。
　【００３６】図８は、本電話機の制御部の処理の流れを示すフローチャートである。同図に示されるように、前記図４のフローチャートに対して、「右移動キー」に関する処理（Ｓ８０１、Ｓ８０２）が追加されている。本制御部は、ユーザから「右移動キー」の押下を受け付けた場合（Ｓ８０１）、行番メモリ２３に、右移動キーの押下を示すコード（例えば、「スペース」を表すシフトＪＩＳコードの０ｘ８１４０）を付加して格納する。
　【００３７】図９は、押下されたキーが「変換キー」の場合（Ｓ４０６）の本制御部の処理の流れを示すフローチャートである。同図に示されるように、前記図５のフローチャートに対し、行番コードに「かな」が含まれる場合の処理（Ｓ９０１、Ｓ９０２）が追加されている。本制御部は、行番コードのｊ桁目が「かな」の場合は、ｉ番目に読み出したかな文字列のｊ文字目の「かな」と一致するか否かを判定する（Ｓ９０１、Ｓ９０２）。
　【００３８】以上のように、本実施の形態における電話機は、ユーザから漢字列の最初の読みの「かな」と、２文字目以降の読みに対応する行番コードとを受け付けて、こられに対応する「かな文字列」を介してより的を絞って漢字列を検索し、検索した漢字列を表示するので、ユーザは、入力を希望する漢字列を簡単な操作で、早く選択することができる。
（実施の形態４）本実施の形態の電話機は、ユーザから入力された「漢字列」及びその読みとしての「かな文字列」を新たに漢字辞書１８に登録する機能を有する。本電話機は、上記の実施の形態における電話機の機能に加え、制御部において＜漢字登録モード＞を制御する機能を有する。
　【００３９】以下、本電話機の＜漢字登録モード＞の機能内容として、前記図６に示す漢字辞書に「かな文字列」と「漢字列」を新たに登録する場合について、図１０のフローチャートを参照しながら説明する。図１０は、＜漢字登録モード＞における本制御部の処理の流れを示すフローチャートである。
　【００４０】最初に、本制御部は、＜漢字登録モード＞において、ユーザから、５０音の各行の文字群が割り当てられた「数字キー」を所定の回数押下されることにより、「かな文字列」を受け付ける（Ｓ１００１、Ｓ１００２）。さらに、本制御部は、ユーザから「変換キー」の押下を受け付けると、上記「かな文字列」に該当する漢字列を漢字辞書１８から検索する。さらに、本制御部は、検索した漢字列を表示部１９に表示するように制御する（Ｓ１００３）。
　【００４１】次に、本制御部は、ユーザから漢字の選択を受け付け、選択された漢字の文字コードを作業用メモリ２５に記憶する（Ｓ１００４）。なお、ユーザによって他に漢字が選択される場合は（Ｓ１００５）、上記処理（Ｓ１００２〜Ｓ１００４）が繰り返される。さらに、本制御部は、ユーザから、登録すべき漢字列の正しい読みとして「かな文字列」を決定する（Ｓ１００６）。この場合、既に受け付けた「かな文字列」（Ｓ１００２）が登録すべき漢字列の読みとして正しくない場合は、新たに「かな文字列」をユーザから受け付ける。
　【００４２】
　最後に、本制御部は、ユーザから「メモリキー」の押下を受け付けることにより、作業用メモリに格納されている漢字列と「かな文字列」とを対応付けて漢字辞書１８に格納する（Ｓ１００７）。なお、本制御部は、「かな文字列」に「漢字列」を対応づけて漢字辞書１８に登録を行うことに代え、ユーザから「かな文字列」に対応する「行番コード」を受け付け、前記図２に示されるように「行番コード」に「かな文字列」及び「漢字列」を対応付けて漢字辞書に登録するように制御してもよい。
　【００４３】以上のように、本実施の形態における電話機は、ユーザから漢字列の読みを、５０音の行を示す数字キーの押下した回数によって受け付け、これに対応する漢字列の候補を漢字辞書から検索して表示する。このとき、ユーザが登録を希望する漢字列の読みと受け付けた読みとが異なる場合に、登録を希望する漢字列の正しい読みをユーザから受け付け、漢字列の読みと検索された漢字列とを漢字辞書に登録するので、ユーザは、漢字辞書から検索できない漢字列を新たに登録することができ、漢字辞書をより充実した内容にすることができる。
　【００４４】なお、上記実施の形態において、５０音の行を表す情報として、数字キーに割り当てられた数字に基づく「行番コード」を用いたが、行番コードに限定するものではなく、他の５０音の行を表す情報、例えば、Ａ、Ｋ、Ｓ、Ｔ、Ｎ、Ｈ、Ｍ、Ｙ、Ｒ、Ｗ等を用いてもよい。本発明は、以上で述べたように、５０音の行毎に数字キー等を割り当てる構成を技術内容としているが、本発明以外の構成として、例えば以下のような構成とすることもできる。
（１）「かな文字列」に代えて、「カナ」や「ローマ字」を読みとして用いて構成する。
（２）「かな文字列」において、「１」キーに（あ、か、さ、た、なの列）、「２」キーに（い、き、し、ち、にの列）等を割り当てて構成する。
（３）アルファベットのような文字群を複数のブロックに分割し、それぞれのブロックに数字キー等を割り当てて構成する。例えば、アルファベットの２６文字を「１」キーから「９」キーに割り当てて（例えば、「１」キーには、ＡＢＣ、「２」キーにはＣＤＥ等）、ユーザから受け付けた数字列の、それぞれの数字に割り当てられた文字を含む単語等を検索するように構成するのである。
　【００４５】
　【発明の効果】以上の説明から明らかなように、本発明に係る電話機は、漢字入力モードを有する電話機であって、仮名文字列と、これに対応する漢字列の組を行番コードの順に並べ、複数登録した漢字辞書と、前記漢字入力モードで、ユーザから、５０音の何れかの行を表す行情報を複数受け付ける受付手段と、受け付けられた行情報によって表される行に含まれる文字群を行情報の並びに従い組み合わせた仮名文字列に対応する漢字列を、前記漢字辞書から検索する検索手段と、検索された漢字列を表示する表示制御手段と、表示された漢字列から入力すべき漢字列の選択を受け付け、漢字列を決定する漢字列決定手段とを備える。
　【００４６】これにより、ユーザから、漢字列の読みに対応する５０音の行を表す行情報を受け付け、これに対応する漢字列の候補を漢字辞書から検索して表示するので、ユーザは、入力を希望する漢字列を簡単な操作で選択することができる。また、本発明に係る発明は、漢字入力モードを有する電話機であって、仮名文字列と、これに対応する漢字列の組を複数登録した漢字辞書と、前記漢字入力モードで、ユーザから、５０音の行を表す数字が割り当てられた数字キーの押下回数と、移動キーの押下によって特定される、入力すべき漢字列の最初の読みである仮名文字を受け付ける第１受付手段と、前記漢字入力モードで、ユーザから、５０音の何れかの行を表す行情報を受け付ける第２受付手段と、前記漢字辞書から、第１受付手段で受け付けられた仮名文字と、第２受付手段で受け付けられた行情報によって表される行に含まれる文字群を行情報の並びに従い組み合わせた仮名文字列とを連結した連結文字列に対応する漢字列を、前記漢字辞書から検索する検索手段と、検索された漢字列を表示する表示制御手段と、表示された漢字列から入力すべき漢字列の選択を受け付け、漢字列を決定する漢字列決定手段とを備えるように構成することもできる。
　【００４７】これにより、ユーザから漢字列の読みの最初の「かな」と、２文字目以降の漢字列の読みに対応する５０音の行を表す行情報とを受け付けて、こられに対応する、より的が絞られた漢字列の候補を漢字辞書から検索して表示するので、ユーザは、入力を希望する漢字列を簡単な操作で、早く選択することができる。さらに、本発明に係る電話機は、漢字入力モードを有する電話機であって、数字キーに割り当てられた５０音の行を表す数字によって構成された数字列に、仮名文字列と漢字列とを対応付け、数字列の順に登録されている漢字辞書と、前記漢字入力モードで、ユーザから、数字キーに割り当てられた５０音の行を表す数字を受け付ける受付手段と、受け付けられた数字列に一致する仮名文字列を前記漢字辞書から検索し、検索された仮名文字列により漢字列を特定する検索特定手段と、特定された漢字列を表示する表示制御手段と、表示された漢字列から入力すべき漢字列の選択を受け付け、漢字列を決定する漢字列決定手段とを備えるように構成することもできる。
　【００４８】これにより、ユーザから漢字列の読みに対応する５０音の行を示す数字を受け付けて、この数字に一致する漢字列の読みを漢字辞書から検索し、検索された読みに対応付けられて登録されている漢字列を漢字辞書から特定して表示するので、ユーザは、入力を希望する漢字列を簡単な操作で選択することができる。また、漢字入力モードを有する電話機であって、仮名文字列と、これに対応する漢字列の組を複数登録した漢字辞書と、前記漢字入力モードで、ユーザから、５０音の何れかの行を表す行情報を複数受け付ける受付手段と、受け付けられた行情報によって表される行に含まれる文字群を行情報の並びに従い組み合わせた仮名文字列に対応する漢字列を、前記漢字辞書から検索する検索手段と、検索された漢字列を表示する表示制御手段と、表示された漢字列から入力すべき漢字列の選択を受け付け、漢字列を決定する漢字列決定手段とを備え、さらに、ユーザから、登録すべき漢字列の一部又は全部の読みである仮名文字列を受け付ける漢字読み受付手段と、受け付けた仮名文字列に対応する漢字列を、前記漢字辞書から検索して表示する漢字表示制御手段と、表示された漢字列から一部又は全部の漢字の選択を受け付ける漢字選択手段と、選択された漢字に対応する登録すべき仮名文字列が、前記漢字読み受付手段で受け付けた仮名文字列と異なるとき、前記受け付けた仮名文字列に代えて正しい読みの仮名文字列を受け付ける正解読み受付手段と、前記正解読み受付手段で受け付けた仮名文字列と前記選択された漢字とを、前記漢字辞書に登録する登録手段とを備える漢字登録モードを有するように構成することもできる。
　【００４９】これにより、ユーザから漢字列の読みを、５０音の行を示す数字キーの押下した回数によって受け付け、これに対応する漢字列の候補を漢字辞書から検索して表示する。このとき、ユーザが登録を希望する漢字列の読みと受け付けた読みとが異なる場合に、登録を希望する漢字列の正しい読みをユーザから受け付け、漢字列の読みと検索された漢字列とを漢字辞書に登録するので、ユーザは、漢字辞書から検索できない漢字列を新たに登録することができ、漢字辞書をより充実した内容にすることができる。
【図面の簡単な説明】
　【図１】実施の形態１における電話機の機能ブロックである。
　【図２】実施の形態１における漢字辞書の一例を示す図である。
　【図３】実施の形態１における表示部と入力部の一例を示す図である。
　【図４】実施の形態１における制御部の流れを示すフローチャートである。
　【図５】実施の形態１において、「変換キー」が押下された場合の制御部の処理を示すフローチャートである。
　【図６】実施の形態２における漢字辞書の一例を示す図である。
　【図７】実施の形態２において、「変換キー」が押下された場合の制御部の処理を示すフローチャートである。
　【図８】実施の形態３における制御部の流れを示すフローチャートである。
　【図９】実施の形態３において、「変換キー」が押下された場合の制御部の処理を示すフローチャートである。
　【図１０】実施の形態４において、新たな漢字列を漢字辞書に登録する場合の制御部の処理を示すフローチャートである。
　【符号の説明】
　１０　　　電話機
　１１　　　無線部
　１２　　　モデム部
　１３　　　ＴＤＭＡ処理部
　１４　　　Ｄ／Ａ・Ａ／Ｄ変換部
　１５　　　音声処理部
　１６　　　スピーカ
　１７　　　マイク
　１８　　　漢字辞書
　１９　　　表示部
　２０　　　入力部
　２１　　　制御部
　２２　　　ＲＯＭ
　２３　　　行番メモリ
　２４　　　表示用メモリ
　２５　　　作業用メモリ